(57)【特許請求の範囲】
【請求項１】
壁の開口部に取り付けられる矩形枠状の扉枠の構造であって、
当該扉枠は、扉が開閉可能に設けられる扉枠本体と、
当該扉枠本体から前記壁の開口部に向かって延びる延出部と、を備え、
当該延出部は、前記扉枠本体の屋外側の面から屋外に向かって延びた後、前記開口部の屋外側の端縁まで延びており、
当該延出部の先端側と前記壁の開口部との間には、シーリングが施されることを特徴とする扉枠構造。
【請求項２】
前記延出部は、前記扉枠本体の屋外側の面から屋外に向かって略直線状に延びる第１片と、
当該第１片の先端から前記開口部の屋外側の端縁に向かって略直線状に延びる第２片と、を備えることを特徴とする請求項１に記載の扉枠構造。
【発明の詳細な説明】
【技術分野】
【０００１】
本発明は、扉が開閉可能に設けられる扉枠の構造に関する。
【背景技術】
【０００２】
従来より、構造スリットが設けられた壁の開口部に扉枠を取り付ける場合、扉枠の縦枠を壁の開口部から離しておき、この縦枠と開口部との間に緩衝材を設けることが提案されている（特許文献１参照）。
【先行技術文献】
【特許文献】
【０００３】
【特許文献１】特開２０１０−１４４４０４号公報
【発明の概要】
【発明が解決しようとする課題】
【０００４】
ところで、実際には、特許文献１にも示すように、扉枠と壁の開口部との隙間には、緩衝材を設けるだけでなく、雨水の浸入を防止する止水性を確保するためにシーリングが施される。したがって、シーリング材によって扉枠と壁とは結合されているので、壁が変位すると、シーリングが伸縮する。
しかしながら、このシーリングの伸縮量は限界があり、結果的に、シーリングに引っ張られてあるいは押されて、縦枠にかなりの応力が生じる。よって、縦枠には大きな剛性が必要とされることになり、縦枠の形状や厚みに制限が生じる、という問題があった。
【０００５】
特に、シーリング材が経年劣化している場合には、シーリング材の伸縮追従性が低下するので、縦枠に生じる応力は増大する。
また、扉枠が外部に面する場合には、耐候性を考慮してシーリング材を二重に施すことが多いが、この場合、シーリング材の断面積が大きくなるので、縦枠に生じる応力は増大する。
【０００６】
本発明は、地震時の壁の変位に確実に追従しながら、止水性を確保して、扉枠に生じる応力を小さくできる扉枠の構造を提供することを目的とする。
【課題を解決するための手段】
【０００７】
請求項１に記載の扉枠構造は、壁（例えば、後述の壁２）の開口部（例えば、後述の開口部１０）に取り付けられる矩形枠状の扉枠（例えば、後述の扉枠２０）の構造であって、当該扉枠は、扉（例えば、後述の扉３０）が開閉可能に設けられる扉枠本体（例えば、後述の扉枠本体４０）と、当該扉枠本体から前記壁の開口部に向かって延びる延出部（例えば、後述の延出部５０）と、を備え、当該延出部の先端側と前記壁の開口部との間には、シーリング（例えば、後述の二重シーリング６１）が施されることを特徴とすることを特徴とする。
【０００８】
この発明によれば、扉枠本体に壁の開口部に向かって延びる延出部を設けた。よって、壁に変位が生じると、シーリングが伸縮し、このシーリングの伸縮に伴って延出部が変形して、壁の変位を吸収する。したがって、壁の変位に確実に追従でき、シーリングの伸縮に伴って扉枠に生じる応力を小さくできる。
また、壁と扉枠本体との間を延出部で塞ぐことになるので、止水性を確保できる。
また、従来のように壁と扉枠本体とを直接シーリングで連結しないので、扉枠本体に生じる応力が小さくなり、扉枠本体の剛性を小さくできる。
また、壁の躯体に生じる応力も小さくなるので、壁の損傷を低減でき、壁の躯体の欠けやタイルの剥離などを防止できる。
【０００９】
請求項２に記載の扉構造は、前記延出部は、前記扉枠本体から壁の面外方向に延びる第１片（例えば、後述の第１片５１）と、当該第１片から前記壁の面内方向に延びる第２片（例えば、後述の第２片５２）と、を備えることを特徴とする。
【００１０】
この発明によれば、延出部を、扉枠本体から壁の面外方向に延びる第１片と、この第１片から壁の面内方向に延びる第２片と、を含んで構成した。したがって、延出部の長さを大きく確保できるので、延出部で壁の変位を確実に吸収できる。
【発明の効果】
【００１１】
本発明によれば、地震時の壁の変位に確実に追従しながら、止水性を確保して、シーリングの伸縮に伴って扉枠に生じる応力を小さくできる。
【図面の簡単な説明】
【００１２】
【図１】本発明の第１実施形態に係る扉枠が適用された扉構造の正面図である。
【図２】図１のＡ−Ａ断面図である。
【図３】図１のＢ−Ｂ断面図である。
【図４】前記実施形態に係る扉枠の地震時の挙動を説明するための図（その１）である。
【図５】前記実施形態に係る扉枠の地震時の挙動を説明するための図（その２）である。
【図６】本発明の第２実施形態に係る扉枠の縦枠の断面図である。
【図７】本発明の第３実施形態に係る扉枠の縦枠の断面図である。
【図８】本発明の第４実施形態に係る扉枠の縦枠の断面図である。
【図９】本発明の参考例に係る扉枠の縦枠の断面図である。
【図１０】本発明の第５実施形態に係る扉枠の縦枠の断面図である。
【発明を実施するための形態】
【００１３】
以下、本発明の実施形態を図面に基づいて説明する。なお、以下の実施形態の説明にあたって、同一構成要件については同一符号を付し、その説明を省略もしくは簡略化する。
〔第１実施形態〕
図１は、本発明の第１実施形態に係る扉枠２０が適用された扉構造１の正面図（屋外側から視た図）である。
【００１４】
扉構造１は、屋内と屋外とを仕切る鉄筋コンクリート造の壁２の開口部１０に設けられ、屋内側床面と屋外側床面との間で往来可能とするものである。
屋内側床面と屋外側床面との境界部分には、切欠き部１１が形成されている。
開口部１０は矩形状であり、下面となる切欠き部１１、上面１２、側面１３Ａ、１３Ｂ、で構成される。
【００１５】
扉構造１は、開口部１０に取り付けられる矩形枠状の扉枠２０と、この扉枠２０に開閉可能に設けられた扉３０と、を備える。
扉枠２０は、略水平に延びる沓摺り２１および上枠２２と、これら沓摺り２１と上枠２２とを連結して略鉛直方向に延びる一対の縦枠２３Ａ、２３Ｂと、を備える。
上枠２２は、開口部１０の上面１２に接合され、沓摺り２１は、開口部１０の切欠き部１１に固定されている。なお、縦枠２３Ａ、２３Ｂは、開口部１０の側面１３Ａ、１３Ｂに固定されていない。
【００１６】
壁２の下端側には、床面に沿って略水平に延びて開口部１０を通る構造スリット３が設けられている。以下、壁２のうち構造スリット３よりも下側の部分を、下部躯体２Ａとし、構造スリット３よりも上側の部分を、上部躯体２Ｂとする。すると、上部躯体２Ｂは、下部躯体２Ａに対して水平方向に相対移動可能となっている。
【００１７】
図２は、図１のＡ−Ａ断面図であり、図３は、図１のＢ−Ｂ断面図である。
扉枠２０は、扉３０が開閉可能に支持される扉枠本体４０と、この扉枠本体４０から壁２の開口部１０に向かって延びる延出部５０と、を備える。
【００１８】
具体的には、図２に示すように、扉枠２０の縦枠２３Ｂは、扉枠本体４０と、この扉枠本体４０から開口部１０の側面１３Ｂに向かって延びる延出部５０と、を備える。縦枠２３Ａについても、この縦枠２３Ｂと同様の構造である。
また、図３に示すように、扉枠２０の上枠２２は、扉枠本体４０と、この扉枠本体４０から壁２の開口部１０の上面１２に向かって延びる延出部５０と、を備える。
【００１９】
扉枠本体４０は、壁２の外壁面から所定寸法ｔだけ屋内側に位置している。
延出部５０は、扉枠本体４０から壁２の面外方向で屋外に向かって延びる第１片５１と、この第１片５１の先端から壁２の面内方向で上面１２あるいは側面１３Ａ、１３Ｂに向かって延びる第２片５２と、この第２片５２の先端から壁２の面外方向で屋内に向かって延びる第３片５３と、を備える。
つまり、第２片５２は、第１片５１に対して略直交しており、第３片５３は、第２片５２に対して略直交している。
【００２０】
第１片５１の扉枠本体４０との接合部分には、凹部５４が形成され、この凹部５４には、二重シーリング６０が施されている。
第３片５３と、上面１２の屋外側の端縁あるいは側面１３Ａ、１３Ｂの屋外側の端縁と、の間には、二重シーリング６１が施されている。
【００２１】
以上の扉構造１の地震時の動作は、以下のようになる。
地震時には、上部躯体２Ｂが下部躯体２Ａに対して面内で水平方向に変位するので、上部躯体２Ｂが扉枠２０から離れる方向（図４中白抜き矢印方向）に変位した場合を想定する。すると、図４に示すように、延出部５０が変形して、この変形により、二重シーリング６０、６１の応力が低減する。よって上枠２２や縦枠２３Ａ、２３Ｂにかかる応力は小さくなる。
【００２２】
また、上部躯体２Ｂが扉枠２０に接近する方向（図５中白抜き矢印方向）に変位した場合を想定する。すると、図５に示すように、延出部５０が変形して、この変形により、二重シーリング６０、６１の応力が低減する。よって上枠２２や縦枠２３Ａ、２３Ｂにかかる応力は小さくなる。
【００２３】
なお、地震により上部躯体２Ｂが下部躯体２Ａに対して面外で水平方向に変位した場合についても、上部躯体２Ｂが下部躯体２Ａに対して面内で水平方向に変位した場合と同様であり、二重シーリング６０、６１の応力が低減するので、上枠２２や縦枠２３Ａ、２３Ｂにかかる応力は小さくなる。
【００２４】
なお、以上の延出部５０の単位荷重に対する剛性は、必要に応じて適宜設定してよい。例えば、所定の変形量までは弾性変形とし、この所定の変形量を超えると塑性変形となるようにしてもよい。あるいは、変形の全域に亘って弾性変形としてもよいし、あるいは、変形の全域に亘って塑性変形としてもよい。
また、延出部５０の板厚や強度などの特性は特に限定されない。また、延出部５０の材質は、鋼製、アルミニウム製、樹脂製など、特に限定されない。
【００２５】
本実施形態によれば、以下のような効果がある。
（１）扉枠本体４０に壁２の開口部１０に向かって延びる延出部５０を設けた。よって、上部躯体２Ｂが下部躯体２Ａに対して変位した場合、二重シーリング６１が伸縮し、この二重シーリング６１の伸縮に伴って延出部５０が変形して、この壁２の変位を吸収する。したがって、壁２の変位に確実に追従でき、二重シーリング６１の伸縮に伴って扉枠本体４０に生じる応力を小さくできる。
また、壁２と扉枠本体４０との間を延出部５０で塞ぐので、止水性を確保できる。
また、従来のように壁と扉枠本体とを直接シーリングで連結しないので、扉枠本体に生じる応力が小さくなり、扉枠本体４０の剛性を小さくできる。
また、壁２の躯体に生じる応力も小さくなるので、壁２の損傷を低減でき、壁の躯体の欠けやタイルの剥離などを防止できる。
【００２６】
（２）延出部５０を、扉枠本体４０から壁４の面外方向に延びる第１片５１と、この第１片５１から壁２の面内方向に延びる第２片５２と、を含んで構成した。したがって、延出部５０の長さを大きく確保できるので、延出部５０で壁２の変位を確実に吸収できる。
【００２７】
〔第２実施形態〕
図６は、本発明の第２実施形態に係る扉構造１Ａの縦枠２３Ｂの断面図である。
本実施形態では、延出部５０Ａの構造が、第１実施形態と異なる。
すなわち、第１実施形態のように第１片５１と第２片５２とが略直交しておらず、第１片と第２片とが直線状に一体化している。つまり、延出部５０Ａは、扉枠本体４０から壁２の開口部１０の側面１３Ｂの屋外側の端縁に向かって直線状に延びている。
本実施形態によれば、上述の（１）と同様の効果がある。
【００２８】
〔第３実施形態〕
図７は、本発明の第３実施形態に係る扉構造１Ｂの縦枠２３Ｂの断面図である。
本実施形態では、延出部５０Ｂの構造が、第１実施形態と異なる。
すなわち、本実施形態では、第１実施形態のように第１片５１と第２片５２とが略直交しておらず、第１片と第２片とが湾曲して一体化している。つまり、延出部５０Ｂは、扉枠本体４０から壁２の開口部１０の屋外側の端縁に向かって湾曲して延びている。
本実施形態によれば、上述の（１）と同様の効果がある。
【００２９】
〔第４実施形態〕
図８は、本発明の第４実施形態に係る扉構造１Ｃの縦枠２３Ｂの断面図である。
本実施形態では、延出部５０Ｃの構造が、第１実施形態と異なる。
すなわち、開口部１０の側面１３Ｂの屋外側の端縁が開口部１０の内側に向かって突出しており、これにより、延出部５０Ｃの第２片５２の長さ寸法が第１実施形態に比べて短くなっている。
本実施形態によれば、上述の（１）と同様の効果がある。
【００３０】
〔参考例〕
図９は、本発明の参考例に係る扉構造１Ｄの縦枠２３Ｂの断面図である。
本参考例では、扉枠２０の位置および延出部５０Ｄの構造が、第１実施形態と異なる。本参考例の扉構造１Ｄは、上部躯体２Ｂの下部躯体２Ａに対する変位が小さい場合、あるいは、変位で延出部５０Ｄが変形して壊れてもよい場合である。
すなわち、扉枠２０の屋外側の表面は、壁２の外壁面と略面一に位置している。また、延出部５０Ｄでは、第１片は設けられておらず、第２片５２および第３片５３のみで構成されている。第２片５２の扉枠本体４０との接合部分には、凹部５４が形成され、この凹部５４には、二重シーリング６０が施されている。
本参考例によれば、上述の（１）と同様の効果がある。
【００３１】
〔第５実施形態〕
図１０は、本発明の第５実施形態に係る扉構造１Ｅの縦枠２３Ｂの断面図である。
本実施形態では、延出部５０Ｅの構造が、第１実施形態と異なる。
すなわち、第３片５３の先端には、壁２の面内方向で内側に向かって延びる第４片５５が設けられている。この第４片５５には、壁２の面内方向でかつ水平方向に延びるルーズ穴５７が形成されている。
また、扉枠本体４０には、第４片５５のルーズ穴５７に挿入されるピン４１が形成されている。
【００３２】
本実施形態によれば、上述の（１）の効果に加えて、以下のような効果がある。
（３）地震により上部躯体２Ｂが下部躯体２Ａに対して面内で水平方向に変位すると、この延出部５０Ｅの第４片５５と扉枠本体４０とが相対移動する。このとき、ピン４１がルーズ穴５７の内部で移動して、第４片５５と扉枠本体４０との相対移動を規制する。
【００３３】
なお、本発明は前記実施形態に限定されるものではなく、本発明の目的を達成できる範囲での変形、改良等は本発明に含まれるものである。
例えば、延出部５０の変形を妨げない限り、必要に応じて、扉枠本体４０と開口部１０との間にロックウールやガラス繊維などの断熱性能、遮音性能、耐火性能を有する材料を充填してもよい。
また、上述の各実施形態では、二重シーリング６０、６１を設けたが、これに限らず、シーリングを一重としてもよい。
【符号の説明】
【００３４】
１、１Ａ、１Ｂ、１Ｃ、１Ｄ、１Ｅ…扉構造
２…壁
２Ａ…下部躯体
２Ｂ…上部躯体
３…構造スリット
１０…開口部
１１…切欠き部
１２…上面
１３Ａ、１３Ｂ…側面
２０…扉枠
２１…沓摺り
２２…上枠
２３Ａ、２３Ｂ…縦枠
３０…扉
４０…扉枠本体
４１…ピン
５０、５０Ａ、５０Ｂ、５０Ｃ、５０Ｄ、５０Ｅ…延出部
５１…第１片
５２…第２片
５３…第３片
５４…凹部
５５…第４片
５６…延出片
５７…ルーズ穴
６０、６１…二重シーリング
【図１】
0006347481.tif 000002
【図２】
0006347481.tif 000003
【図３】
0006347481.tif 000004
【図４】
0006347481.tif 000005
【図５】
0006347481.tif 000006
【図６】
0006347481.tif 000007
【図７】
0006347481.tif 000008
【図８】
0006347481.tif 000009
【図９】
0006347481.tif 000010
【図１０】
0006347481.tif 000011